【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
インクを吐出するためのエネルギーを発生する記録素子を備える記録ヘッドを用いて記録媒体に画像を記録する記録装置であって、
前記記録媒体上に記録すべき画像データにおいて、罫線属性を示す画素を含むか否かを判定する判定手段と、
前記判定結果に基づき、罫線属性を示す画素を含む領域において前記記録素子がインクに与えるエネルギーが、罫線属性を示す画素を含まない領域において前記記録素子がインクに与えるエネルギーよりも高くなるように、前記記録ヘッドを制御する制御手段と
を備えることを特徴とする記録装置。
【請求項２】
前記制御手段は、罫線属性を示す画素を含む領域において前記記録ヘッドから吐出されるインク滴の飛翔速度が、罫線属性を示す画素を含まない領域において前記記録ヘッドから吐出されるインク滴の飛翔速度よりも速くなるように制御することを特徴とする請求項１に記載の記録装置。
【請求項３】
罫線属性を示す画素を含む領域において前記記録素子に印加される第１の駆動パルスと、罫線属性を示す画素を含まない領域において前記記録素子に印加される第２の駆動パルスとは、それぞれ主加熱パルス及び予備加熱パルスを含み、前記第１の駆動パルスは前記第２の駆動パルスよりも前記予備加熱パルスの時間が長いことを特徴とする請求項１または２に記載の記録装置。
【請求項４】
罫線属性を示す画素を含む領域において前記記録素子に印加される第１の駆動パルスと、罫線属性を示す画素を含まない領域において前記記録素子に印加される第２の駆動パルスとは、それぞれ主加熱パルス及び予備加熱パルスを含み、前記第１の駆動パルスは前記第２の駆動パルスよりも前記主加熱パルスと前記予備加熱パルスの間の休止時間が長いことを特徴とする請求項１または２に記載の記録装置。
【請求項５】
罫線属性を示す画素を含む領域において前記記録素子に印加される第１の駆動パルスは、罫線属性を示す画素を含まない領域において前記記録素子に印加される第２の駆動パルスよりも駆動電圧が低いことを特徴とする請求項１または２に記載の記録装置。
【請求項６】
前記制御手段は、前記判定手段による判定結果が罫線属性を示す画素を含む領域であっても、当該領域の前に記録ヘッドが走査する所定数の領域においてインク滴が吐出されるカウント数が所定の閾値よりも多い領域が存在する場合には、当該領域において前記記録素子がインクに与えるエネルギーが、罫線属性を示す画素を含まない領域において前記記録素子がインクに与えるエネルギーよりも高くならないように、前記記録ヘッドを制御することを特徴とする請求項１から５のいずれか１項に記載の記録装置。
【請求項７】
インクを吐出するためのエネルギーを発生する記録素子を備える記録ヘッドを用いて記録媒体に画像を記録する記録装置であって、
前記記録媒体上に記録すべき画像データの単位領域毎に、罫線属性を示す画素を含むか否かを判定する判定手段と、
前記単位領域毎のインク滴が吐出されるカウント数を取得する取得手段と、
前記罫線属性を示す画素を含むと判定された単位領域の前記カウント数を所定の閾値以上の値に変更する変更手段と、
前記変更手段による変更の後に、前記カウント数が前記所定の閾値以上の単位領域に対して前記記録素子が発生するエネルギーが、前記カウント数が前記所定の閾値未満の単位領域に対して前記記録素子が発生するエネルギーよりも高くなるように、前記記録ヘッドを制御する制御手段と
を備えることを特徴とする記録装置。
【請求項８】
インクを吐出するためのエネルギーを発生する記録素子を備える記録ヘッドを用いて記録媒体に画像を記録する記録装置であって、
前記記録媒体上に記録すべき画像データの単位領域毎に、罫線属性を示す画素を含むか否かを判定する第１判定手段と、
前記単位領域毎のインク滴が吐出されるカウント数を取得する取得手段と、
前記単位領域毎に、前記カウント数が所定の閾値未満であるか否かを判定する第２判定手段と、
前記第１判定手段および前記第２判定手段の判定結果に基づき、前記カウント数が前記所定の閾値未満である単位領域が所定数以上連続した後に前記記録ヘッドが走査する注目領域であって、前記注目領域が罫線属性を示す画素を含む場合に、前記注目領域に対して前記記録素子が発生するエネルギーが、前記注目領域が罫線属性を示す画素を含まない場合に前記注目領域に対して前記記録素子が発生するエネルギーよりも高くなるように、前記記録ヘッドを制御する制御手段と
を備えることを特徴とする記録装置。
【請求項９】
インクを吐出するためのエネルギーを発生する記録素子を備える記録ヘッドを用いて記録媒体に画像を記録する記録装置であって、
前記記録媒体上に記録すべき画像データの単位領域毎に、罫線属性を示す画素を含むか否かを判定する第１判定手段と、
前記単位領域毎のインク滴が吐出されるカウント数を取得する取得手段と、
前記第１判定手段により罫線属性を示す画素を含むと判定された単位領域に対して、前記取得手段により取得された前記カウント数を所定の閾値以上の値に変更する変更手段と、
前記変更手段による変更の後に、前記単位領域毎に、前記カウント数が前記所定の閾値未満であるか否かを判定する第２判定手段と、
前記第１判定手段および前記第２判定手段の判定結果に基づき、前記カウント数が前記所定の閾値未満である単位領域が所定数以上連続した後に前記記録ヘッドが走査する注目領域の前記カウント数が前記所定の閾値以上である場合に前記注目領域に対して前記記録素子が発生するエネルギーは、前記注目領域の前記カウント数が前記所定の閾値未満である場合に前記注目領域に対して前記記録素子が発生するエネルギーよりも高くなるように、前記記録ヘッドを制御する制御手段と
を備えることを特徴とする記録装置。
【請求項１０】
インクを吐出するためのエネルギーを発生する記録素子を備える記録ヘッドを用いて記録媒体に画像を記録する記録装置であって、
前記記録媒体上に記録すべき画像データにおける複数の単位領域のうち、罫線属性を示す画素を含み且つ当該単位領域の前に連続する所定数の単位領域が文字属性の画素を含む領域である場合に当該単位領域に対して前記記録素子が発生するエネルギーを、罫線属性を示す画素を含まない領域または当該単位領域の前に連続する所定数の単位領域が文字属性の画素を含まない領域である場合に当該単位領域に対して前記記録素子が発生するエネルギーよりも高くなるように、前記記録ヘッドを制御することを特徴とする記録装置。
【請求項１１】
インクを吐出するためのエネルギーを発生する記録素子を備える記録ヘッドを用いて記録媒体に画像を記録する記録方法であって、
前記記録媒体上に記録すべき画像データにおいて、罫線属性を示す画素を含むか否かを判定する判定工程と、
前記判定工程における判定結果に基づき、罫線属性を示す画素を含む領域において前記記録素子がインクに与えるエネルギーが、罫線属性を示す画素を含まない領域に対して前記記録素子がインクに与えるエネルギーよりも高くなるように、前記記録ヘッドを制御する制御工程と
を備えることを特徴とする記録方法。
【請求項１２】
インクを吐出するためのエネルギーを発生する記録素子を備える記録ヘッドを用いて記録媒体に画像を記録する記録方法であって、
前記記録媒体上に記録すべき画像データの単位領域毎に、罫線属性を示す画素を含むか否かを判定する判定工程と、
前記単位領域毎のインク滴が吐出されるカウント数を取得する取得工程と、
前記罫線属性を示す画素を含むと判定された単位領域の前記カウント数を所定の閾値以上の値に変更する変更工程と、
前記変更工程における変更の後に、前記カウント数が前記所定の閾値以上の単位領域に対して前記記録素子が発生するエネルギーが、前記カウント数が前記所定の閾値未満の単位領域に対して前記記録素子が発生するエネルギーよりも高くなるように、前記記録ヘッドを制御する制御工程と
を備えることを特徴とする記録方法。
【請求項１３】
インクを吐出するためのエネルギーを発生する記録素子を備える記録ヘッドを用いて記録媒体に画像を記録する記録方法であって、
前記記録媒体上に記録すべき画像データの単位領域毎に、罫線属性を示す画素を含むか否かを判定する第１判定工程と、
前記単位領域毎のインク滴が吐出されるカウント数を取得する取得工程と、
前記単位領域毎に、前記カウント数が所定の閾値未満であるか否かを判定する第２判定工程と、
前記第１判定工程および前記第２判定工程における判定結果に基づき、前記カウント数が前記所定の閾値未満である単位領域が所定数以上連続した後に前記記録ヘッドが走査する注目領域であって、前記注目領域が罫線属性を示す画素を含む場合に、前記注目領域に対して前記記録素子が発生するエネルギーが、前記注目領域が罫線属性を示す画素を含まない場合に前記注目領域に対して前記記録素子が発生するエネルギーよりも高くなるように、前記記録ヘッドを制御する制御工程と
を備えることを特徴とする記録方法。
【請求項１４】
インクを吐出するためのエネルギーを発生する記録素子を備える記録ヘッドを用いて記録媒体に画像を記録する記録方法であって、
前記記録媒体上に記録すべき画像データの単位領域毎に、罫線属性を示す画素を含むか否かを判定する第１判定工程と、
前記単位領域毎のインク滴が吐出されるカウント数を取得する取得工程と、
前記第１判定工程において罫線属性を示す画素を含むと判定された単位領域に対して、前記取得工程において取得された前記カウント数を所定の閾値以上の値に変更する変更工程と、
前記変更工程における変更の後に、前記単位領域毎に、前記カウント数が前記所定の閾値未満であるか否かを判定する第２判定工程と、
前記第１判定工程および前記第２判定工程における判定結果に基づき、前記カウント数が前記所定の閾値未満である単位領域が所定数以上連続した後に前記記録ヘッドが走査する注目領域の前記カウント数が前記所定の閾値以上である場合に前記注目領域に対して前記記録素子が発生するエネルギーは、前記注目領域の前記カウント数が前記所定の閾値未満である場合に前記注目領域に対して前記記録素子が発生するエネルギーよりも高くなるように、前記記録ヘッドを制御する制御工程と
を備えることを特徴とする記録方法。
【請求項１５】
インクを吐出するためのエネルギーを発生する記録素子を備える記録ヘッドを用いて記録媒体に画像を記録する記録方法であって、
前記記録媒体上に記録すべき画像データにおける複数の単位領域のうち、罫線属性を示す画素を含み且つ当該単位領域の前に連続する所定数の単位領域が文字属性の画素を含む領域である場合に当該単位領域に対して前記記録素子が発生するエネルギーを、罫線属性を示す画素を含まない領域または当該単位領域の前に連続する所定数の単位領域が文字属性の画素を含まない領域である場合に当該単位領域に対して前記記録素子が発生するエネルギーよりも高くなるように、前記記録ヘッドを制御することを特徴とする記録方法。